(57)【特許請求の範囲】
【請求項１】
キャンドル（１００）を支持する受け台（１０）と、
前記受け台の上部の一方の側に配設され、電源を供給されて作動されてキャンドルに熱を加えてキャンドルを蒸発させるランプ（２０）と、
前記受け台の内部に配設されてランプに供給される電源を断続するが、ランプの出力が段階的に調節可能なディミングスイッチ（３０）と、
を備えることを特徴とするタッチ式オンオフ手段付きキャンドルウォーマー。
【請求項２】
前記ディミングスイッチ（３０）を作動させる作動手段は、受け台の一方の側に配設されたスイッチボタン（３０ｂ）であることを特徴とする請求項１に記載のタッチ式オンオフ手段付きキャンドルウォーマー。
【請求項３】
前記ディミングスイッチ（３０）は接触センサーを備え、接触センサー（３０ｓ）のセンシングケーブル（３０ｃ）は、ウォーマーを構成する導電性構造物に接続されて構造物のいずれか一ヶ所をタッチすれば、オンオフ及びランプの出力が変わることを特徴とする請求項１に記載のタッチ式オンオフ手段付きキャンドルウォーマー。
【請求項４】
前記受け台（１０）の上部には支持浅（４０）が更に配設され、前記支持浅の上端にはランプが着脱自在に配設されるランプソケット（５０）が配設されたことを特徴とする請求項１に記載のタッチ式オンオフ手段付きキャンドルウォーマー。
【請求項５】
前記ランプソケット（５０）の外部にはらっぱ状の反射笠（５０ｒ）が配設され、反射笠の外部にはブラケット（５０ｂ）が配設されており、ブラケットの中央に配設された固定ねじ（５０ｓ）を支持浅の上端に配設されたランプ笠（６０）に固定してランプソケットがランプ笠の内部に固定されることを特徴とする請求項４に記載のタッチ式オンオフ手段付きキャンドルウォーマー。
【請求項６】
前記ランプ笠（６０）を貫通して固定ねじ（５０ｓ）が突出され、固定ねじの端部には、外形が三角帽状を呈し、且つ、内部面にねじ山が形成された組み立てつまみ（４０ｋ）が締め付けられてブラケットがランプ笠に固定されることを特徴とする請求項５に記載のタッチ式オンオフ手段付きキャンドルウォーマー。
【請求項７】
前記ランプ笠（６０）には持ち運び用取っ手（７０）が更に配設されたことを特徴とする請求項５に記載のタッチ式オンオフ手段付きキャンドルウォーマー。
【請求項８】
前記支持浅（４０）は、ランプに電気を供給するための電線が通過可能なように中空の管体状を呈することを特徴とする請求項４乃至請求項７のうちのいずれか一項に記載のタッチ式オンオフ手段付きキャンドルウォーマー。
【請求項９】
前記ランプソケットに配設されたランプに供給される電気が反射笠（５０ｒ）に流れることが防がれるように、前記ランプソケット（５０）は絶縁物により作製されることを特徴とする請求項４乃至請求項７のうちのいずれか一項に記載のタッチ式オンオフ手段付きキャンドルウォーマー。
【請求項１０】
前記受け台（１０）の底面は開放されて内部に配設されるディミングスイッチ（３０）の分解や組立てが手軽に行われるように、受け台の開放された底面には受けカバー（１０ｃ）が着脱自在に配設されたことを特徴とする請求項４乃至請求項７のうちのいずれか一項に記載のタッチ式オンオフ手段付きキャンドルウォーマー。
【発明の詳細な説明】
【技術分野】
【０００１】
本発明は、ろうそく、特に、アロマキャンドルを加熱して香りを生じさせるキャンドルウォーマーに係り、更に詳しくは、胴体のいずれか一部をタッチすることによりウォーマーを構成するランプを点滅できるようにしたタッチ式オンオフ手段付きキャンドルウォーマーに関する。
【０００２】
更に詳しくは、本発明は、ディミング（ｄｉｍｍｉｎｇ）機能を有する接触センサーを備えるが、接触センサーをウォーマーの胴体に接続してウォーマーの胴体のいずれか一ヶ所をタッチすることによりランプに供給される電源をオンオフすることができるだけではなく、ランプの出力を調節してアロマキャンドルを蒸発量を調節できるようにしたタッチ式オンオフ手段付きキャンドルウォーマーに関する。
【背景技術】
【０００３】
ろうそくとは、ステアリン酸やパラフィン及び硬化油を原料として、水浴中で加熱して完全に溶かし、所定の形状を有する型に注ぎ込んだ後に綿糸などを縒り合わせた芯を植え付けて冷却により硬化させて製作したものをいい、芯材に火を点せば、固体のろうそくが溶けて液体のロウ（蝋涙）となり、再びロウが芯材に乗って上昇して気体に変わってろうそくが燃焼される。
【０００４】
この種のろうそくは、室内照明用として用いられているが、最近には、電気を用いた照明が用いられることに伴い、非常時の照明用や、結婚式等の祝賀会や宗教儀式等のイベントでの演出用にも広く用いられるようになっている
一方、最近には、身体的な健康や精神的な健康のために様々な機能を有するろうそく（いわゆるアロマキャンドル、以下、「アロマキャンドル」と通称する。）が多用されており、このようなアロマキャンドルと関連する技術として、特許文献１及び２に記載の様々な技術が挙げられる。
【０００５】
特許文献１は、高い熱伝達係数を有する金属材質からなり、その内部の中央部には芯材が構成されるパラフィン溶液が固形化されて入れられる第１の容器と、第１の容器の外郭に所定の香りを生じさせるための香料が充填されたマットが第１の容器の外郭面に密着されて嵌め込まれるように第１の容器の外郭面から所定の離隔距離を隔てて第１の容器が入れられるように形成された第２の容器と、第１の容器の外郭面に密着された状態で外郭面に伝わる熱による薫蒸作用により所定の香りを発散させるマットと、により構成されたものである。
【０００６】
また、特許文献２は、アロマキャンドルの主成分であるパラフィン（Ｐａｒａｆｆｉｎ）溶液７０重量％と、当該基本材料（天然混合物質）としてのフィトンチッド原液１〜５重量％、芳香剤（アロマ香り、オレンジ香り、ハーブ香り）物質から選ばれたいずれか一種の芳香剤１〜５重量％、紫水晶粉末１〜５重量％、玉１〜５重量％、天然染料１〜５重量％、黄土１〜５重量％、麦飯石１〜５重量％、太陽石１〜５重量％、木酢液１〜５重量％、陰イオン材１〜５重量％、ナノシルバーまたは銀ナノ物質１０ＰＰＭ〜９５０ＰＰＭの範囲内において、前記当該基本材料（天然混合物質）を混合、攪拌して製造したアロマキャンドルに関するものである。
【０００７】
このような通常のアロマキャンドルは、ほとんどが芯材に火を点してアロマキャンドルが火により溶融されて蒸発されるようになっているものであり、芯材に火が点されているアロマキャンドルが倒れたり、アロマキャンドルに紙やティッシュなどが飛んでくると、火災が起きる虞がある。
【０００８】
この理由から、最近には、アロマキャンドルを間接的に加熱してアロマキャンドルを蒸発させるキャンドルウォーマー（ｃａｎｄｌｅ ｗａｒｍｅｒ）が汎用されている。
【０００９】
このような通常のキャンドルウォーマーは、アロマキャンドルが置かれるキャンドル置き台の一方の側に熱を生じさせるためのランプを設けてランプが点灯されたときに発生した熱によりアロマキャンドルが蒸発されるようにしたものである。
【００１０】
しかしながら、このような従来のキャンドルウォーマーは、ランプを点灯させるためのスイッチが一方の側に配備されてキャンドルウォーマーの方向に応じてスイッチが隠れてしまう虞があるため、ランプを作動させることが困難であった。
【００１１】
また、従来のキャンドルウォーマーは、単にランプをオンオフするようになっているため、アロマキャンドルの蒸発量を調節することができず、その結果、多過ぎる香りが生じたり、少な過ぎる香りが生じたりするという問題がある。
【００１２】
つまり、広い空間ではアロマキャンドルの蒸発量を増やさなければならず、狭い空間ではアロマキャンドルの蒸発量を減らさなければならないが、従来のキャンドルウォーマーはアロマキャンドルの蒸発量が定められているため、所望の濃度にアロマキャンドルの蒸発量を調節することができないという欠点がある。
【先行技術文献】
【特許文献】
【００１３】
【特許文献１】大韓民国実用新案登録第０１９７５００号公報
【特許文献２】大韓民国特許登録第０７８８６０１号公報
【発明の概要】
【発明が解決しようとする課題】
【００１４】
本発明は上述したような問題を解消するために案出されたものであり、キャンドルウォーマーを構成するランプの点滅がより手軽に行えるようにしたタッチ式オンオフ手段付きキャンドルウォーマーを提供することを目的とする。
【００１５】
更に詳しくは、キャンドルウォーマーに配備されたランプの点滅の制御がより手軽に行えるようにするが、ランプの出力をも調節して所望の濃度でアロマキャンドルが蒸発できるようにしたタッチ式オンオフ手段付きキャンドルウォーマーを提供することを目的とする。
【課題を解決するための手段】
【００１６】
上述したような目的を達成するためのタッチ式オンオフ手段付きキャンドルウォーマーは、キャンドルを支持する受け台と、前記受け台の上部の一方の側に配設され、電源を供給されて作動されてキャンドルに熱を加えてキャンドルを蒸発させるランプと、前記受け台の内部に配設されてランプに供給される電源を断続するが、ランプの出力が段階的に調節可能なディミングスイッチと、を備えることを特徴とする。
【００１７】
前記ディミングスイッチを作動させる作動手段は、受け台の一方の側に配設されたスイッチボタンであってもよく、ディミングスイッチに配設された接触センサーであってもよい。
【００１８】
前記タッチ式オンオフ手段付きキャンドルウォーマーは、前記受け台の上部には支持浅が更に配設され、前記支持浅の上端にはランプが着脱自在に配設されるランプソケットが配設されることが好ましい。
【００１９】
前記ランプソケットの外部にはらっぱ状の反射笠（反射シェード）が配設され、反射笠の外部にはブラケットが配設されており、ブラケットの中央に配設された固定ねじを支持浅の上端に配設されたランプ笠に固定してランプソケットがランプ笠の内部に固定されてもよい。
【００２０】
前記ランプ笠を貫通して固定ねじが突出され、固定ねじの端部には、外形が三角帽状を呈し、且つ、内部面にねじ山が形成された組み立てつまみが締め付けられてブラケットがランプ笠に固定されることが好ましい。
【００２１】
前記ランプ笠には持ち運び用取っ手が更に配設されてもよく、前記受け台の底面は開放されて内部に配設されるディミングスイッチの分解や組立てが手軽に行われ、受け台の開放された底面には受けカバーが着脱自在に配設されることが好ましい。
【発明の効果】
【００２２】
以上述べたように、本発明に係るタッチ式オンオフ手段付きキャンドルウォーマーは、ウォーマーを構成する構造物のいずれか一ヶ所をタッチしてもランプがオンオフできるので、ウォーマーの作動の制御をより手軽に行うことができるという効果がある。
【００２３】
また、ディミングスイッチを備えてランプの出力を自由に調節することができるので、使用者が希望する量でアロマキャンドルが蒸発されるようにして、所望の濃度で香りを発散させることができるという効果がある。
【図面の簡単な説明】
【００２４】
【図１】本発明に係るタッチ式オンオフ手段付きキャンドルウォーマーの一例の断面図。
【図２】本発明に係るタッチ式オンオフ手段付きキャンドルウォーマーの一例の斜視図。
【発明を実施するための形態】
【００２５】
本発明には様々な変更を加えることができ、種々の実施の形態を有することができるため、特定の実施の形態を図面に例示し、且つ、詳細な説明の欄において詳細に説明する。しかし、これは本発明を特定の実施の形態に対して限定しようとするものではなく、本発明の思想及び技術範囲に含まれるあらゆる変更、均等物若しくは代替物を含むものと理解されるべきである。
【００２６】
各図面について説明するに当たって、類似の参照符号を類似の構成要素に対して使用した。本発明を説明するに当たって、関連する公知の技術についての具体的な説明が本発明の要旨を曖昧にする虞があると認められる場合には、その詳細な説明を省略する。
【００２７】
以下、添付図面に基づいて、本発明の一実施の形態について詳細に説明する。
【００２８】
本発明は、キャンドル１００の蒸発量を自由に調節することができるだけではなく、作動の制御を手軽に行うことができる。
【００２９】
この種の本発明に係るタッチ式オンオフ手段付きキャンドルウォーマーは、キャンドル１００を支持する受け台１０と、前記受け台の上部の一方の側に配設されて電源を供給されて作動されてキャンドルに熱を加えてキャンドルを蒸発させるランプ２０と、前記受け台の内部に配設されてランプに供給される電源を断続するが、ランプの出力が段階的に調節可能なディミングスイッチ３０と、を備える。
【００３０】
前記受け台１０は、図１及び図２に示すように、キャンドル１００を受ける受け台の役割を果たすものであり、中空の筒体状を呈して、内部に前記ディミングスイッチ３０が配設される。
【００３１】
前記受け台１０の底面は開放されて内部に配設されるディミングスイッチの設置及び分解が手軽に行えるようにしただけではなく、下記の支持浅４０の組立てが手軽に行えるようにした。
【００３２】
このように底面が開放された受け台１０の開放された面には受けカバー１０ｃが着脱自在に配設されて、内部に設けられた構成部品が保護できるようにした。
【００３３】
前記受けカバー１０ｃは、合成樹脂やゴムなど絶縁性及び可撓性を有する材質により作製されて受け台に手軽に着脱できるようにした。
【００３４】
前記ランプ２０は、電源を供給されて点灯されることにより熱が発生し、発生された熱によりキャンドル１００が加熱されてキャンドルが溶融及び蒸発されるようにする。
【００３５】
前記ランプ２０としては様々なものが使用可能であるが、点灯に際して熱を発生させる発光ダイオード（ＬＥＤ）やハロゲンランプなどが使用可能である。
【００３６】
前記ランプ２０に供給される電源を断続するための手段として、上記のディミングスイッチ３０が配設されている。
【００３７】
前記ディミングスイッチ３０は、ランプ２０に供給される電源を制御してランプの出力が調節可能なスイッチであって、普通使用されているディミングスイッチのうちのいずれか一つを選んで使用することができる。
【００３８】
前記ディミングスイッチ３０を作動させるための手段としては、各種のものが使用可能であるが、図２に示すように、受け台１０の一方の側にスイッチボタン３０ｂを配設して、スイッチボタン３０ｂが押下される回数に応じてディミングスイッチを介してランプに供給される電源を制御してランプの出力を制御してもよい。
【００３９】
しかしながら、このように受け台１０の一方の側にスイッチボタン３０ｂを配設する場合、使用者が小さなスイッチボタン３０ｂを見出すことが容易ではない。
【００４０】
これにより、本発明は、受け台付きキャンドルウォーマーを構成する構造物を導電体で製作し、ディミングスイッチ３０に接触センサー３０ｓを配設して、接触センサー３０ｓにおいて接触が感知されれば、ランプに電源が供給されるようにすることが好ましい。
【００４１】
すなわち、接触センサー３０ｓから延びた感知用センシングケーブル３０ｃをキャンドルウォーマーを構成する導電性材質の鉄材構造物に繋いでキャンドルウォーマーのどの部分をタッチしても接触センサーが接触を感知してランプに供給される電源を断続できるようにする。
【００４２】
このように、キャンドルウォーマーの構造物の全体が接触センシング部の役割を果たすので、ランプの制御をより手軽に行うことができ、接触回数に応じてランプの出力が調節されてランプの照度はもとより、ランプから発生した熱が異なってきてキャンドル１００の蒸発量も調節される。
【００４３】
前記ディミングスイッチに配設された接触センサー３０ｓのセンシングケーブルは、図１に示すように、受け台１０の底面に接続リング３０ｒを介して接続可能である。
【００４４】
本発明のキャンドルウォーマーは、見栄えを良くするために、受け台１０の上部に支持浅４０を更に配設し、この支持浅４０の上端にランプが着脱自在に配設されるランプソケット５０を配設してランプ２０がキャンドル１００の上部に位置できるようにした。
【００４５】
また、前記ランプソケット４０の外部にはらっぱ状の反射笠５０ｒを更に配設し、前記反射笠の外部にはブラケット５０ｂを配設し、前記ブラケット５０ｂの中央に配設された固定ねじ５０ｓを支持浅の上端に配設されたランプ笠６０に固定してランプソケットをランプ笠の内部に固定した。
【００４６】
いうまでもなく、前記支持浅４０は受け台１０を貫通し、受け台１０を貫通した支持浅の下端に前記接続リング３０ｒを嵌め込み、ナットを締め付けて受け台１０及び支持浅４０が繋ぎ合わせられるとともに、センシングケーブルが受け台及び支持浅に繋がるようにした。
【００４７】
更に、支持浅４０の上端に繋がる反射笠５０ｒ及び反射笠の外部に配設されるランプ笠６０も電気的に接続された状態となって、センシングケーブル３０ｃが電気的に接続された状態となっているので、ランプ笠や支持浅をタッチしてもランプの駆動がオンオフ可能になる。
【００４８】
いうまでもなく、ランプソケット５０は絶縁物で製作してランプソケットに配設されたランプに供給される電気が反射笠５０ｒに流れることを防いだ。
【００４９】
前記支持浅４０は、図１に示すように、中空の管体状を呈して、ランプに電気を供給するための電線が通過できるようにした。
【００５０】
更にまた、本発明は、より見栄えのよいキャンドルウォーマーを提供できるように、前記ランプ笠６０に反射笠５０ｒを繋ぐ手段として組み立てつまみ４０ｋを備えており、この組み立てつまみ５０ｋは、図２に示すように、外形が三角帽状を呈し、内部面にねじ山が形成されているため、前記ランプ笠６０を貫通した固定ねじ５０ｓに締め付けられることにより反射笠５０ｒがランプ笠に固定されるようにした。
【００５１】
加えて、前記ランプ笠６０には持ち運び用取っ手７０が更に配設されて、キャンドルウォーマーが手軽に持ち上げられるようにした。
【符号の説明】
【００５２】
１０  受け台
１０ｃ  受けカバー
２０  ランプ
３０  ディミングスイッチ
３０ｂ  スイッチボタン
３０ｃ  センシングケーブル
３０ｓ  接触センサー
３０ｒ  接続リング
４０  支持浅
５０  ランプソケット
５０ｂ  ブラケット
５０ｒ  反射笠
５０ｓ  固定ねじ
６０  ランプ笠
７０  持ち運び用取っ手
１００  キャンドル
【図１】
0006421255.tif 000002
【図２】
0006421255.tif 000003